(57)【要約】【課題】  コンテナターミナルに設置された撮影手段によって撮影された特定のコンテナの画像を即座に取得可能なコンテナターミナル管理システムを提供する。【解決手段】  コンテナターミナルのヤードを撮影する監視カメラ４４が設置されており、この監視カメラ４４によって撮影された画像データが、コンテナターミナル管理システム１０に設けられた画像保存用サーバ４６に撮影日時情報、撮影位置情報と共に保存される。また、コンテナターミナル管理システム１０のサーバにはコンテナＣのヤード内での蔵置位置情報、蔵置日時情報が保存されており、ヤード管理システム３５が、特定のコンテナＣの蔵置位置情報、蔵置日時情報と撮影位置情報、撮影日時情報が一致した画像データを画像保存用サーバ４６から取得する。【選択図】  図６
2005280940.tif 000002
【特許請求の範囲】
【請求項１】
コンテナターミナル内でのコンテナの蔵置位置の管理を行うコンテナターミナル管理システムであって、
コンテナのコンテナターミナル内での位置情報、蔵置日時情報の履歴を保存する履歴保存手段と、
コンテナターミナル内に蔵置されたコンテナの周辺を撮影する撮影手段と、
前記撮影手段によって撮影された画像データを撮影日時情報と共に保存する画像保存手段と、
前記履歴保存手段に保存された特定のコンテナの蔵置日時情報と前記画像保存手段に保存された撮影日時情報とが一致した画像データを前記画像保存手段から取得する画像取得手段と、
を有することを特徴とするコンテナターミナル管理システム。
【請求項２】
前記画像保存手段は、前記撮影手段によって撮影された画像データ、撮影日時情報と共に撮影位置情報を保存し、
前記画像取得手段は、前記履歴保存手段に保存された特定のコンテナの位置情報と前記画像保存手段に保存された撮影位置情報とが一致した画像データを前記画像保存手段から取得することを特徴とする請求項１に記載のコンテナターミナル管理システム。
【請求項３】
前記画像取得手段によって取得された画像データをモニタに表示させる表示手段を有することを特徴とする請求項１又は２に記載のコンテナターミナル管理システム。
【発明の詳細な説明】
【技術分野】
【０００１】
本発明は、コンテナターミナル内でのコンテナの蔵置位置の管理を行うコンテナターミナル管理システムに関する。
【背景技術】
【０００２】
コンテナターミナルのヤード内には、これから船積みされるコンテナー、及び船からヤードに揚げられたコンテナー等が蔵置されており、これらのヤード内での蔵置位置の管理がコンテナターミナル管理システムによって行われている（例えば、特許文献１参照）。
【０００３】
ところで、近年、テロ対策として航空機に搬入される荷物や乗客に対するセキュリティチェックが厳重に行われているが、船舶で輸送されるコンテナに対するセキュリティチェックの厳重化の要求も高まっている。
【０００４】
しかし、現在は、工場等からコンテナターミナルに搬入されるまでのセキュリティチェックは行われているが、ヤード内でのコンテナの監視は行われていない。そのため、船積み後又はターミナル搬出後にコンテナに何か問題が発生したとしても、そのコンテナがターミナルでどのように扱われていたか、セキュリティが保たれていたかを確認できないという問題があった。
【０００５】
なお、ヤードに防犯カメラを設置し、ヤード内を２４時間撮影しておけばヤード内への不審者の侵入等を確認することができるが、特定のコンテナが何時、広大なヤード内の何処に置かれていたかを事後的に確認することができなかったので、特定のコンテナの周辺が撮影された画像を探すことが困難であるという問題があった。
【特許文献１】特開平１０−１８１８８５号公報
【発明の開示】
【発明が解決しようとする課題】
【０００６】
本発明は上記事実を考慮してなされたものであり、コンテナターミナルに設置された撮影手段によって撮影された特定のコンテナの周辺の画像を即座に取得可能なコンテナターミナル管理システムを提供することを目的とする。
【課題を解決するための手段】
【０００７】
請求項１に記載のコンテナターミナル管理システムは、コンテナターミナル内でのコンテナの蔵置位置の管理を行うコンテナターミナル管理システムであって、コンテナのコンテナターミナル内での位置情報、蔵置日時情報の履歴を保存する履歴保存手段と、コンテナターミナル内に蔵置されたコンテナの周辺を撮影する撮影手段と、前記撮影手段によって撮影された画像データを撮影日時情報と共に保存する画像保存手段と、前記履歴保存手段に保存された特定のコンテナの蔵置日時情報と前記画像保存手段に保存された撮影日時情報とが一致した画像データを前記画像保存手段から取得する画像取得手段と、を有することを特徴とする。
【０００８】
請求項１に記載のコンテナターミナル管理システムでは、コンテナターミナル内でのコンテナの蔵置位置の管理が行われ、コンテナがコンテナターミナルに蔵置されていた位置の情報である位置情報、及びコンテナがコンテナターミナルに置かれていた日時の情報である蔵置日時情報の履歴が履歴保存手段によって保存される。また、コンテナターミナル内に蔵置されたコンテナの周辺は撮影手段によって撮影されており、この撮影手段によって撮影された画像データは、撮影日時情報と共に画像保存手段によって保存される。
【０００９】
そして、画像取得手段が、履歴保存手段に保存された特定のコンテナの蔵置日時情報と画像保存手段に保存された撮影日時情報とが一致した画像データを画像保存手段から取得する。
【００１０】
これによって、コンテナターミナルから船積みされ、又は搬出されたコンテナに何らかの問題が発生した場合等、問題があったコンテナがコンテナターミナル内に蔵置されていた時間帯に撮影された画像を即座に確認できる。従って、コンテナに問題が発生したのがコンテナターミナル内であるか否かを容易に判断できる。
【００１１】
請求項２に記載のコンテナターミナル管理システムは、請求項１に記載のコンテナターミナル管理システムであって、前記画像保存手段は、前記撮影手段によって撮影された画像データ、撮影日時情報と共に撮影位置情報を保存し、前記画像取得手段は、前記履歴保存手段に保存された特定のコンテナの位置情報と前記画像保存手段に保存された撮影位置情報とが一致した画像データを前記画像保存手段から取得することを特徴とする。
【００１２】
請求項２に記載のコンテナターミナル管理システムでは、画像保存手段が、画像データ、撮影日時情報と共に、撮影したコンテナターミナル内の位置の情報である撮影位置情報を保存している。そして、画像取得手段が、履歴保存手段に保存された特定のコンテナの蔵置日時情報、位置情報と、画像保存手段に保存された撮影日時情報、撮影位置情報とが一致した画像データを画像保存手段から取得する。
【００１３】
これによって、広大なコンテナターミナル内の広範囲を撮影するために、複数の撮影手段を同時に稼動させているような場合でも、特定のコンテナがコンテナターミナル内に置かれていた時間帯に、特定のコンテナが置かれた周辺が撮影された画像を即座に確認できる。
【００１４】
請求項３に記載のコンテナターミナル管理システムは、請求項１又は２に記載のコンテナターミナル管理システムであって、前記画像取得手段によって取得された画像データをモニタに表示させる表示手段を有することを特徴とする。
【００１５】
請求項３に記載のコンテナターミナル管理システムでは、画像取得手段によって取得された画像データが、表示用ソフトウェア等の表示手段によってモニタに表示されるので、特定のコンテナの周辺の画像を即座に見ることができる。
【発明の効果】
【００１６】
本発明は上記構成にしたので、コンテナターミナルに設置された撮影手段によって撮影された特定のコンテナの周辺の画像を即座に取得可能なコンテナターミナル管理システムを提供できる。
【発明を実施するための最良の形態】
【００１７】
以下に図面を参照しながら本発明の実施形態について説明する。
【００１８】
図１に示すように、コンテナターミナル管理システム１０（図２、図３参照）によってコンテナＣの管理が行われているコンテナターミナル１２には、複数隻の船１４が着岸できるようになっている。このコンテナターミナル１２には、着岸した船１４に沿って往復動可能とされた岸壁クレーン１８が設置されており、この岸壁クレーン１８が、コンテナＣを船１４へ船積みし、又はコンテナＣを船１４からコンテナターミナル１２へ陸揚げする。
【００１９】
また、コンテナターミナル１２では、ヤード１６内でコンテナＣを跨いで縦方向に移動するトランスファークレーン２４によってコンテナＣが移動されている。図２乃至図４に示すように、このトランスファークレーン２４には、車載端末２５が設置されており、後述するヤード管理システム３５からこの車載端末２５へ作業指示が無線送信される。また、コンテナターミナル１２には、コンテナを輸送するトラックＴがコンテナターミナル１２に出入する際に通過するゲート２６が設置されている。
【００２０】
また、図３に示すように、コンテナターミナル管理システム１０は、サーバ３２に接続されコンテナターミナル管理システム１０全体の制御を司るコントロールセンタ３３、受付機２８が接続されたゲートシステム３６、トランスファークレーン２４等の荷役機器の車載端末２５と無線ＬＡＮで接続され車載端末２５に作業指示を無線送信するヤード管理システム３５がＬＡＮ３７を介して接続されて構成されている。
【００２１】
ここで、コンテナターミナル１２でのコンテナＣの蔵置、船積み、及び陸揚げの流れについて説明する。
【００２２】
図２に示すように、コンテナＣをコンテナターミナル１２から船積みするために、トラックＴのドライバは、ゲート２６で受付処理を行う。そして、トラックＴのドライバが持参したコンテナＣと船積み情報との照合が行われ、これらが合致すれば、ＥＩＲが発行される。そして、トラックＴのドライバは、ＥＩＲに記載された蔵置位置へ向って侵入する。ここで、ヤード１６内のコンテナＣ１個１個の蔵置場所にはアドレスが付けられている。また、コンテナＣのヤード１６内での蔵置位置は予めプランニングされており、図１に示すように、コンテナＣはプランに従ってヤード１６内の特定の場所に段積みされる。
【００２３】
さらに、コンテナＣの蔵置位置をプランニングするオペレータは、ゲート２６での受付処理を終了したトラックＴによってコンテナターミナル１０へ搬入されたコンテナＣ、又は岸壁クレーン１８によって船１４から揚げられたコンテナＣを、ヤード１６の指定された蔵置位置へシフトさせるために、トランスファークレーン２４の作業指示管理を行う。
【００２４】
また、トランスファークレーン２４の車載端末２５には、ゲート２６からの搬出入、本船１４への揚げ積みの作業指示が送信されており、トランスファークレーン２４の作業者は、この指示に従って作業を行う。そして、トランスファークレーン２４の作業者が、作業終了を知らせるための押ボタン（図示省略）を押すと、コンテナＣが指定された蔵位置位置に蔵置されたことがサーバ３２に記録される。
【００２５】
なお、ここでは、コンテナＣが指定された蔵置位置に蔵置された日時、及び指定された蔵置位置の番号が、サーバ３２に一定期間（例えば、１年間）保存されるが、詳細については後述する。
【００２６】
そして、コンテナＣを船積みする際の指示情報が、ヤード管理システム３５からトランスファークレーン２４の車載端末２５へ送信されており、トランスファークレーン２４の作業者は、この指示に従ってコンテナＣを岸壁クレーン１８の下まで運び出す。トランスファークレーン２４の作業者が、作業を終了し、作業終了を知らせるための押ボタンを押すと、コンテナＣが特定の蔵置位置から運び出されたことが、サーバ３２に記録される。なお、ここでは、コンテナＣが特定の蔵置位置から運び出された日時が、上述したコンテナＣを蔵置した日時、蔵置位置の番号と共にサーバ３２に一定期間（例えば、１年間）保存される。この点についても後に詳細に説明する。
【００２７】
そして、岸壁クレーン１８の作業者は、岸壁クレーン１８の下まで運ばれたコンテナＣを、本船１４へ船積みする。
【００２８】
また、本船１４からヤード１６に揚げられるコンテナＣのヤード１６内での蔵置場所がプランニングされており、コンテナＣが、プランに従って本船１４からヤード１６に揚げられる。この場合も蔵置や船積みと同様に、トランスファークレーン２４の車載端末２５に作業指示が送信され、トランスファークレーン２４の作業者は、この作業指示に従って作業を行う。各荷役機器の作業者が、作業終了を知らせる押ボタンを押すと、コンテナＣがヤード１６の指定された蔵置位置に蔵置された日時、蔵置位置の番号、及びコンテナＣがヤード１６の指定された蔵置位置から運び出された日時がサーバ３２に記録される。そして、ここでも、コンテナＣを蔵置し、又は運び出した日時、コンテナＣの蔵置位置の番号がサーバ３２に一定期間（例えば、１年間）保存される。
【００２９】
次に、コンテナターミナル１２内のセキュリティシステムについて説明する。
【００３０】
図１、図５に示すように、ヤード１６の周囲には照明灯４２が立設されており、この照明灯４２には監視カメラ４４が取付けられている。この監視カメラ４４は、ヤード１６の所定の範囲を撮影している。
【００３１】
また、図６に示すように、監視カメラ４４には画像データを保存するための画像保存用サーバ４６が接続されている。ここで、画像保存用サーバ４６には、画像データと共に、撮影日時、撮影領域の区画番号が保存される。そして、上述したように、コンテナＣが蔵置されていた蔵置位置の番号、その場所に蔵置されていた日時がサーバ３２に保存される。
【００３２】
図７に示すように、ヤード管理システム３５のモニタ４７には過去１年分のコンテナＣの履歴情報４８を表示できるようになっている。特定のコンテナＣの履歴情報をモニタ４７に表示させるためには、まず、モニタ４７に表示されたツールバー（図示省略）で「画像表示」を選択すると、図７に示すように、モニタ４７にコンテナ番号を入力するための画面が表示されるので、特定のコンテナＣのコンテナ番号を入力する。すると、特定のコンテナＣの履歴情報４８がモニタ４７に表示される。
【００３３】
次に、所望の履歴情報４８を選択して、画面下部の「検索」をクリックすると、ヤード管理システム３５によって、サーバ３２に保存されたコンテナＣの蔵置位置情報、蔵置日時と、撮影位置、撮影日時が一致した画像データが、画像保存用サーバ４６から取得される。そして、この取得した画像データが、図８に示すように、ヤード管理システム３５のコンピュータ５０にインストールされた動画表示用ソフト５２によってモニタ４７に表示される。
【００３４】
これによって、特定のコンテナＣが撮影された画像を即座に確認することができ、特定のコンテナＣのコンテナターミナル１２内での取り扱われ方はどうだったか、又は特定のコンテナＣの回りに不審者がいなかったか等を即座に判断できる。
【００３５】
なお、本実施形態では、複数台の監視カメラ４４をヤード１６の周囲に設けたので、特定のコンテナＣの蔵置位置と監視カメラ４４による撮影位置との照合を行う必要があった。しかし、監視カメラ４４を１台のみ設置する場合は、必ずその監視カメラ４４によって特定のコンテナＣが撮影されるので、特定のコンテナＣの蔵置位置と監視カメラ４４による撮影位置との照合を行う必要はなく、特定のコンテナＣを蔵置していた日時と、監視カメラ４４による撮影日時との照合のみを行えば良い。
【図面の簡単な説明】
【００３６】
【図１】本実施形態のコンテナターミナルを示す斜視図である。
【図２】本実施形態のコンテナターミナル管理システムの概略を示す図である。
【図３】本実施形態のコンテナターミナル管理システムの概略を示す図である。
【図４】本実施形態のコンテナターミナル管理システムの概略を示す図である。
【図５】本実施形態のコンテナターミナル管理システムの監視カメラを示す図である。
【図６】本実施形態のコンテナターミナル管理システムのセキュリティシステムの概略を示す図である。
【図７】本実施形態のコンテナターミナル管理システムのセキュリティシステムによる表示画面を示す図である。
【図８】本実施形態のコンテナターミナル管理システムのセキュリティシステムによる表示画面を示す図である。
【符号の説明】
【００３７】
１０    コンテナターミナル管理システム
１２    コンテナターミナル
３２    サーバ（履歴保存手段）
３５    ヤード管理システム（画像取得手段）
４４    監視カメラ（撮影手段）
４６    画像保存用サーバ（画像保存手段）
５２    動画表示用ソフト（表示手段）
【図１】
2005280940.tif 000003
【図２】
2005280940.tif 000004
【図３】
2005280940.tif 000005
【図４】
2005280940.tif 000006
【図５】
2005280940.tif 000007
【図６】
2005280940.tif 000008
【図７】
2005280940.tif 000009
【図８】
2005280940.tif 000010